(57)【要約】【課題】端子ブロックに取り付け易く、かつ端子ブロックに端子カバーを取付ける際に、端子ブロックに形成されている封印ネジ穴の位置と封印ネジの先端部の位置とを把握することができる電力量計端子カバーを提供する。【解決手段】電力量計端子カバー（例えば端子カバー本体１００）は透明部材からなり、電力量計端子カバーの端部に、電力量計端子カバーを電力量計本体の側面に仮固定する仮固定手段（例えば磁石部１５０）を具備する。【選択図】図３
2007278948.tif 000002
【特許請求の範囲】
【請求項１】
壁面に設置される凸状の電力量計本体と、
前記電力量計本体の壁面側に隣接して設けられる端子ブロックと
を具備する電力量計の前記端子ブロックに封印ネジを介して取付可能な電力量計端子カバーであって、
前記電力量計端子カバーは、透明又は半透明部材からなり、
前記電力量計端子カバーの端部に、前記電力量計端子カバーを前記電力量計本体の側面に仮固定する仮固定手段を具備することを特徴とする電力量計端子カバー。
【請求項２】
請求項１に記載の電力量計端子カバーにおいて、
前記電力量計端子カバーに封印孔が設けられると共に前記封印ネジの頭部に封印穴が設けられ、
前記封印孔と前記封印穴とにひも状部材を通して封印部材により封印することを特徴とする電力量計端子カバー。
【発明の詳細な説明】
【技術分野】
【０００１】
本発明は、一般家庭に供給される電力の電力使用量を計量する電力量計の端子カバーに関する。
【背景技術】
【０００２】
電力量計は、一般家庭などの施設の壁面に設置されて、その施設に供給された電流と電圧から電力量を計量するものであり、電流及び電圧を入力するための電源端子及び負荷端子等を有する端子ブロックと、その電流及び電圧に基づいて電力量を計算すると共に得られた電力量を表示する電力量計本体とを具備している。
【０００３】
このような電力量計の端子ブロックに取付け可能な端子カバーとしては、例えば図７に示すようなものが挙げられる。図７（ａ）は端子カバーの概略正面図であり、図７（ｂ）は端子カバーの概略背面図であり、図７（ｃ）は図７（ａ）に示すＢ方向から見た際の端子カバーの概略側面図である。図７（ａ）及び図７（ｂ）に示すように、この端子カバー５００を構成する端子カバー本体６００は矩形状をしており、主に金属で形成されている。
【０００４】
また、図７（ｂ）及び図７（ｃ）に示すように、端子カバー本体６００の長手方向両端部には貫通孔６１０がそれぞれ設けられており、この貫通孔６１０に封印ネジ７００を挿通させて、封印ネジ７００を端子ブロックに設けられた封印ネジ穴に取付けることにより、端子カバー５００を端子ブロックに取り付けることができるようになっている。
【０００５】
一方、電力量計の端子カバー本体に、穴部と、端子ブロックへの水の浸入を防止する防水手段とが設けられており、その穴部から防水手段を押圧すると、防水手段に形成された突起状の操作部が端子ブロック内の操作部を押圧するので、需要家は電力量計を容易に操作できることから、需要家が欲している情報を短時間で確認でき、更に耐水性能と不正防止機能を持つ電力量計の端子カバーなどが提供されている（例えば、特許文献１参照）。
【０００６】
【特許文献１】特開２００４−２２６１１９号公報
【発明の開示】
【発明が解決しようとする課題】
【０００７】
しかしながら、図７に示すような従来の端子カバー５００は主に金属で形成されているので、封印ネジ７００を介して端子カバー５００を端子ブロックに取付ける際に、端子ブロックに形成されている封印ネジ穴の位置と封印ネジ７００の先端部の位置とを確認することができない。したがって、封印ネジ７００の先端部を封印ネジ穴の位置に合わせし難く、端子ブロックへの端子カバー５００の取付けに手間取るという問題があった。また、同様の理由から、端子ブロックに端子カバー５００を取付ける際に、封印ネジ７００の先端部が端子ブロックに設けられた端子に接触して不具合が生じる可能性があるという問題があった。さらに、従来の端子カバー５００では、端子ブロックに取付ける際に端子カバー５００を支持しなければならないという問題があった。
【０００８】
なお、特許文献１で提案されている端子カバーにおいても、かかる問題は解決されていない。
【０００９】
本発明は、上述した事情に鑑み、端子ブロックに取り付け易く、かつ端子ブロックに端子カバーを取付ける際に、端子ブロックに形成されている封印ネジ穴の位置と封印ネジの先端部の位置とを把握することができる電力量計端子カバーを提供することを目的とする。
【課題を解決するための手段】
【００１０】
上記課題を解決する本発明の第１の態様は、壁面に設置される凸状の電力量計本体と、前記電力量計本体の壁面側に隣接して設けられる端子ブロックとを具備する電力量計の前記端子ブロックに封印ネジを介して取付可能な電力量計端子カバーであって、前記電力量計端子カバーは、透明又は半透明部材からなり、前記電力量計端子カバーの端部に、前記電力量計端子カバーを前記電力量計本体の側面に仮固定する仮固定手段を具備することを特徴とする電力量計端子カバーにある。
【００１１】
かかる第１の態様では、端子ブロックに取り付け易く、かつ端子ブロックに端子カバーを取付ける際に、端子ブロックに形成されている封印ネジ穴の位置と封印ネジの先端部の位置とを把握することができる安全な電力量計端子カバーを提供することができる。
【００１２】
本発明の第２の態様は、第１の態様に記載の電力量計端子カバーにおいて、前記電力量計端子カバーに封印孔が設けられると共に前記封印ネジの頭部に封印穴が設けられ、前記封印孔と前記封印穴とにひも状部材を通して封印部材により封印することを特徴とする電力量計端子カバーにある。
【００１３】
かかる第２の態様では、第三者による電力量計の配線変更などを防止することができる。
【発明の効果】
【００１４】
本発明に係る電力量計端子カバーによれば、端子ブロックに取り付け易く、かつ端子ブロックに端子カバーを取付ける際に、端子ブロックに形成されている封印ネジ穴の位置と封印ネジの先端部の位置とを把握することができる安全な電力量計端子カバーを提供することができる。
【発明を実施するための最良の形態】
【００１５】
以下、本発明を実施するための最良の形態について説明する。なお、本実施形態の説明は例示であり、本発明は以下の説明に限定されない。
【００１６】
（実施形態１）
図１は本発明の実施形態１に係る電力量計及び電力量計カバーの概略正面図であり、図２は図１に示すＸ方向から見た際の電力量計及び電力量計カバーの概略側面図である。図１及び図２に示すように、本実施形態に係る電力量計３００は、従来の電子式電力量計と同様に、電源端子及び負荷端子などが設けられた端子ブロック３１０と、それに隣接する凸状の電力量計本体３２０とを具備しており、端子ブロック３１０に入力された電流及び電圧から電力量を計算すると共に得られた電力量を電力量計本体３２０に表示することができるようになっている。そして、端子ブロック３１０の両端部には封印ネジ穴３１５がそれぞれ設けられており、後述するようにして電力量計端子カバー１を取付けることができるようになっている。
【００１７】
また、電力量計本体３２０は、図２に示すように、壁面側周囲に鉄などの磁性体からなる磁性体部３２１を具備しており、後述するようにして電力量計端子カバー１を仮固定することができるようになっている。
【００１８】
次に、電力量計端子カバー１について説明する。図３（ａ）は実施形態１に係る電力量計端子カバーの概略正面拡大図であり、図３（ｂ）は電力量計端子カバー１の概略背面拡大図であり、図３（ｃ）は図３（ａ）に示すＡ方向から見た際の端子カバーの概略側面拡大図である。図３（ａ）及び図３（ｂ）に示すように、電力量計端子カバー１は、端子カバー本体１００と封印ネジ２００とを具備している。端子カバー本体１００は矩形状をしており、長手方向両端部には貫通孔１１０がそれぞれ設けられ、一方の端部にはさらに封印孔１２０が設けられている。
【００１９】
また、端子カバー本体１００の幅方向端部の一方には磁石部１５０が設けられており、図４に示すように、電力量計端子カバー１を端子ブロック３１０に取付ける際に、磁石部１５０が電力量計本体３２０の本体の側面に設けられた磁性体部３２１に吸い寄せられ、電力量計端子カバー１を電力量計本体３２０に仮固定することができるようになっている。このように電力量計端子カバー１を電力量計本体３２０に仮固定することができるので、電力量計端子カバー１を端子ブロック３１０に取付ける際に、電力量計端子カバー１を支持する必要がなく、容易に取り付けることができる。ここで、仮固定とは、電力量計端子カバー１を電力量計本体３２０に一時的に固定することをいい、電力量計端子カバー１と電力量計本体３２０とは容易に脱着可能となっている。
【００２０】
さらに、図３（ｃ）に示すように、端子カバー本体１００に設けられた貫通孔には封印ネジ２００が挿通されており、封印ネジ２００を上述した封印ネジ穴３１５に取付けることによって電力量計端子カバー１を図示しない端子ブロック３１０に取り付けることができるようになっている。
【００２１】
なお、封印ネジ２００の頭部側面には封印穴２１０が設けられており、図５（ａ）及び図５（ｂ）に示すように、端子カバー本体１００に設けられた封印孔１２０と封印穴２１０とにひも状部材４１０を通して封印材４２０で封印することにより、電力量計端子カバー１を端子ブロック３１０から取り外さなければ電力量計３００の配線変更などの操作ができないようになっており、第三者による電力量計の配線変更などを防止することができる。なお、図５（ａ）は封印した際の電力量計の概略図であり、図５（ｂ）は図５（ａ）に示すＢの領域を拡大した電力量計の概略拡大図である。
【００２２】
このように電力量計端子カバー１を構成することにより、端子ブロックに取り付け易く、かつ端子ブロックに電力量計端子カバーを取付ける際に、端子ブロックに形成されている封印ネジ穴の位置と封印ネジの先端部の位置とを把握することができる安全な電力量計端子カバー１を提供することができる。
【００２３】
次に、電力量計３００と、電力量計端子カバー１を構成する構成要素とについて説明する。電力量計端子カバー１を構成する端子カバー本体１００は、端子ブロック３１０に取付けられた際に端子ブロック３１０が透けて見えるものであれば透明・半透明であろうと特に限定されないが、透明でかつ絶縁体からなるものが好ましいのはいうまでもない。端子カバー本体１００としては、例えば透明なプラスチックなどが挙げられる。
【００２４】
封印ネジ２００は特に限定されない。また、磁石部１５０は電力量計端子カバー１を電力量計本体３２０に仮固定することができるものであれば特に限定されない。
【００２５】
ひも状部材４１０は特に限定されない。また、封印材４２０は特に限定されず、例えば鉛などが挙げられる。
【００２６】
さらに、電力量計３００は壁面側周囲に磁性体からなる磁性体部を有するものであれば特に限定されず、家庭用・業務用ものであってもよい。すなわち、何ら手を加えることなく、既存の電力量計をそのまま用いることができる。
【００２７】
（実施形態２）
実施形態１では、長手方向両端部に封印ネジ穴がそれぞれ設けられた端子ブロックに取付けるために、上述したような２つの封印ネジを具備するように電力量計端子カバーを構成したが、中央部に１つの封印ネジ穴しか設けられていない端子ブロックに対しては、図６に示すように電力量計端子カバー１Ａを構成してもよい。図６（ａ）は実施形態１に係る電力量計端子カバーの概略正面拡大図であり、図６（ｂ）は電力量計端子カバー１の概略背面拡大図であり、図６（ｃ）は図６（ａ）に示すＡ’方向から見た際の電力量計端子カバーの概略側面拡大図である。
【００２８】
この電力量計端子カバー１Ａを用いても、実施形態１に係る電力量計端子カバー１と同様の効果が得られる。なお、電力量計端子カバー１Ａを構成する構成要素については、実施形態１に係る電力量計端子カバー１と同様であるため、同一符号を付して説明を省略する。
【００２９】
（他の実施態様）
実施形態１及び２では、仮固定手段として磁石部を用いたが、仮固定手段は電力量計端子カバーを電力量計本体に仮固定することができるものであれば特に限定されない。例えば、強力な粘着力を有する粘着テープなどであってもよい。なお、この場合には、電力量計本体の壁面側周囲に磁性体部を設ける必要はない。
【図面の簡単な説明】
【００３０】
【図１】実施形態１に係る電力量計及び電力量計端子カバーを示す概略正面図である。
【図２】実施形態１に係る電力量計及び電力量計端子カバーを示す概略側面図である。
【図３】実施形態１に係る電力量計端子カバーを示す概略拡大図である。
【図４】仮固定した際の実施形態１に係る電力量計の概略図である。
【図５】封印した際の実施形態１に係る電力量計の概略図である。
【図６】実施形態２に係る電力量計端子カバーを示す概略図である。
【図７】従来の電子式電力量計端子カバーを示す概略図である。
【符号の説明】
【００３１】
１、１Ａ  電力量計端子カバー
１００  端子カバー本体
１１０  貫通孔
１２０  封印孔
１５０  磁石部
２００  封印ネジ
２１０  封印穴
３００  電力量計
３１０  端子ブロック
３１５  封印ネジ穴
３２０  電力量計本体
３２１  磁性体部
４１０  ひも状部材
４２０  封印材
【図１】
2007278948.tif 000003
【図２】
2007278948.tif 000004
【図３】
2007278948.tif 000005
【図４】
2007278948.tif 000006
【図５】
2007278948.tif 000007
【図６】
2007278948.tif 000008
【図７】
2007278948.tif 000009